(57)【要約】【課題】ユーザの指示動作に忠実に従いつつ、ユーザの不注意や不慣れによって生じ得るセンサ素子の誤接触を回避して、ユーザに煩わしさを感じさせることのない快適な操作性を与える携帯電子機器及びその方法を提供する。【解決手段】制御部１１０は、各種情報をキー入力するキー操作部ＫＥＹ及び接触を検知するセンサ部１２０からの信号に基づいて各種処理を実行させ、キー操作部ＫＥＹによる入力処理が行われる期間のセンサ部１２０による検知を無効にするとともに、センサ部１２０による検知中にキー操作部ＫＥＹが操作される期間のセンサ部１２０による検知を無効にする。【選択図】図１
2008052586.tif 000002
【特許請求の範囲】
【請求項１】
各種情報をキー入力するキー入力部と、
接触を検知する検知部と、
該検知部及び前記キー入力部からの信号に基づいて各種処理を実行させる制御部とを具える携帯電子機器であって、
前記制御部は、前記キー入力部による入力処理が行われる期間中の前記検知部による検知を無効にすることを特徴とする携帯電子機器。
【請求項２】
各種情報をキー入力するキー入力部と、
接触を検知する検知部と、
該検知部及び前記キー入力部からの信号に基づいて各種処理を実行させる制御部とを具える携帯電子機器であって、
前記制御部は、前記検知部による検知中における、前記キー入力部が操作される期間の前記検知部による検知を無効にすることを特徴とする携帯電子機器。
【請求項３】
前記制御部は、
前記キー入力部が操作される以前の前記検知部の検知結果に基づく処理を行うことを特徴とする請求項２記載の携帯電子機器。
【請求項４】
前記検知部による検知が行われている情報又は前記検知部による検知が行われていない情報を格納する格納部を更に具え、
該格納部が、前記検知部による検知が行われている情報を格納する場合、前記制御部は、前記キー入力部が操作されると前記検知部による検知を無効にすることを特徴とする請求項２又は３記載の携帯電子機器。
【請求項５】
前記キー入力部が前記検知部に隣接することを特徴とする請求項１から４のうちのいずれか１項に記載の携帯電子機器。
【請求項６】
各種情報をキー入力するキー入力部と、
接触を検知する検知部とを具える携帯電子機器の制御方法であって、
前記キー入力部の操作期間中における前記検知部による接触の検知を無効にすることを特徴とする携帯電子機器の制御方法。
【請求項７】
各種情報をキー入力するキー入力部と、
接触を検知する検知部とを具える携帯電子機器の制御方法であって、
前記検知部による接触の検知中に前記キー入力部からのキー入力操作が行われると、当該キー入力操作期間における前記接触の検知は無効にすることを特徴とする携帯電子機器の制御方法。
【請求項８】
前記キー入力操作が行われる以前の前記検知部における検知結果を有効として、当該検知結果に基づく処理を行うことを特徴とする請求項７記載の携帯電子機器の制御方法。
【発明の詳細な説明】
【技術分野】
【０００１】
本発明は、各種情報をキー入力するキー入力部と、接触を検知する検知部と、検知部及びキー入力部からの信号に基づいて各種処理を実行させる制御部とを具える携帯電子機器及びその制御方法に関する。
【背景技術】
【０００２】
従来、携帯電子機器の操作入力部として様々なインターフェイスや構成が開発されており、例えば、携帯電子機器に回転ダイヤル式入力デバイスを設け、表示部上に表示させたカーソルを回転ダイヤル式入力デバイスの回転量に応じて移動させる技術がある（例えば、特許文献１）。しかしながら、このような従来技術では、物理的・機械的な回転を伴う「回転ダイヤル」を用いているため、機械的な磨耗などによって誤動作や故障などが発生し易く、操作入力部のメンテナンスが必要であったり、耐用期間が短いという不都合がある。
【０００３】
かかる不都合を解消するために、物理的・機械的な回転を伴わない操作入力部としてセンサ素子を利用する技術が提案されている（例えば、特許文献２，３）。この提案技術は、複数のセンサ素子を円環状に配して、個々のセンサ素子からの接触検出を監視し、連続的な接触検出を検出した場合は、その接触検出箇所の移動に応じて、表示位置の移動指示が生じたと判定するものである。
【特許文献１】特開2003-280792号公報
【特許文献２】特開2005-522797号公報
【特許文献３】特開2004-311196号公報
【発明の開示】
【発明が解決しようとする課題】
【０００４】
小型で筐体外面の実装面積が狭い携帯電子機器に、操作性とデザイン性を損なうことなくセンサ素子と表示部とを当該筐体外面に搭載させることが所望されている。その場合、センサ素子も必然的に小型なものとなり、ユーザの意図する位置のセンサ素子を正しく触ることができず、表示部に表示されたカーソルや操作対象領域が思わぬ方向へ移動してしまう。例えば、センサ素子上で移動を指示するユーザの指が少しでも行き過ぎて意図しない指示動作となるセンサ素子にタッチしてしまった場合などには、ユーザの意図するものとは異なる表示部の動作となる。このことも、ユーザにストレスを感じさせる要因となり得る。特に、ユーザが当該携帯電子機器を使い慣れないうちは顕著である。従って、ユーザの指示動作に忠実に従いつつ、ユーザの不注意や不慣れによって生じ得るセンサ素子の誤接触を回避・無効とするような技法が求められている。
【０００５】
本発明の目的は、ユーザの指示動作には適切に対応しながら、ユーザが意図せずに行いうる操作（すなわち、誤った指示動作）を回避・無効とし、ユーザに煩わしさを感じさせることのない快適な操作性を与える携帯電子機器及びその制御方法を提供することを目的とする。
【課題を解決するための手段】
【０００６】
本発明による請求項１に係る携帯電子機器は、
各種情報をキー入力するキー入力部と、
接触を検知する検知部と、
該検知部及び前記キー入力部からの信号に基づいて各種処理を実行させる制御部とを具える携帯電子機器であって、
前記制御部は、前記キー入力部による入力処理が行われる期間中の前記検知部による検知を無効にすることを特徴とする。
【０００７】
本発明による請求項２に係る携帯電子機器は、
各種情報をキー入力するキー入力部と、
接触を検知する検知部と、
該検知部及び前記キー入力部からの信号に基づいて各種処理を実行させる制御部とを具える携帯電子機器であって、
前記制御部は、前記検知部による検知中における、前記キー入力部が操作される期間の前記検知部による検知を無効にすることを特徴とする。
【０００８】
本発明による請求項３に係る携帯電子機器は、
前記制御部は、
前記キー入力部が操作される以前の前記検知部の検知結果に基づく処理を行うことを特徴とする。
【０００９】
本発明による請求項４に係る携帯電子機器は、
前記検知部による検知が行われている情報又は前記検知部による検知が行われていない情報を格納する格納部を更に具え、
該格納部が、前記検知部による検知が行われている情報を格納する場合、前記制御部は、前記キー入力部が操作されると前記検知部による検知を無効にすることを特徴とする
【００１０】
本発明による請求項５に係る携帯電子機器は、
前記キー入力部が前記検知部に隣接することを特徴とする。
【００１１】
本発明による請求項６に係る携帯電子機器の制御方法は、
各種情報をキー入力するキー入力部と、
接触を検知する検知部とを具える携帯電子機器の制御方法であって、
前記キー入力部の操作期間中における前記検知部による接触の検知を無効にすることを特徴とする。
【００１２】
本発明による請求項７に係る携帯電子機器の制御方法は、
各種情報をキー入力するキー入力部と、
接触を検知する検知部とを具える携帯電子機器の制御方法であって、
前記検知部による接触の検知中に前記キー入力部からのキー入力操作が行われると、当該キー入力操作期間における前記接触の検知は無効にすることを特徴とする。
【００１３】
本発明による請求項８に係る携帯電子機器の制御方法は、
前記キー入力操作が行われる以前の前記検知部における検知結果を有効として、当該検知結果に基づく処理を行うことを特徴とする。
【発明の効果】
【００１４】
本発明によれば、ユーザの指示動作に忠実に従いつつ、ユーザの不注意や不慣れによって生じ得るセンサ素子の誤接触を回避して、ユーザに煩わしさを感じさせることのない快適な操作性を与える携帯電子機器及びその制御方法を提供することができる。
【発明を実施するための最良の形態】
【００１５】
本発明による携帯電子機器及びその制御方法の実施の形態を、図面を参照して詳細に説明する。
【００１６】
図１は、本実施例の携帯電話端末の概要を示すブロック図である。図に示した携帯電話端末１００は、制御部１１０、センサ部１２０、表示部１３０、記憶部（フラッシュメモリなど）１４０、情報処理部１５０、電話機能部１６０、キー操作部ＫＥＹ、スピーカＳＰ及び図示しないＣＤＭＡ通信網に接続して通信を行う通信部ＣＯＭを具える。さらに、センサ部１２０は複数のセンサ素子（例えば、その検知部を機器筐体の外面に設けてあり、指などの物体の接触・近接を検出する接触センサ）を含んだセンサ素子群を、用途に応じてｎ個、すなわち第１のセンサ素子群Ｇ１、第２のセンサ素子群Ｇ２及び第ｎのセンサ素子群Ｇ３を含み、記憶部１４０は保存領域１４２、外部データ保存領域１４４から構成されている。制御部１１０及び情報処理部１５０は、ＣＰＵなどの演算手段及びソフトウェアモジュールなどから構成させることが好適である。なお、後に説明するシリアルインターフェース部Ｓ１、シリアルインターフェース部Ｓ１を通じて制御部１１０に接続されるＲＦＩＤモジュールＲＦＩＤ、赤外線通信部、カメラ２２０、ライト２３０、マイクロホンＭＩＣ、ラジオモジュールＲＭ、電源ＰＳ、電源コントローラＰＳＣＯＭ等が、制御部１１０に接続されるが、ここでは簡略化のために省略する。
【００１７】
図１のブロック図における各ブロックの機能を簡単に説明する。制御部１１０は、センサ部１２０によりユーザの指などの物体の接触を検出し、記憶部１４０の保存領域１４２に検出した情報を格納し、情報処理機能部１５０により格納した情報の処理を制御する。そして、処理結果に応じた情報を表示部１３０に表示させる。さらに制御部１１０は、通常の通話機能のための電話機能部１６０、キー操作部ＫＥＹ、及びスピーカＳＰを制御する。なお、表示部１３０は、サブ表示部ＥＬＤと、図示しないメイン表示部（携帯電話端末１００が閉状態で隠れるとともに開状態で露出する位置に設けられた表示部）とを有する。
【００１８】
図２は、センサ素子を筐体に実装した本実施例の携帯電話端末１００の斜視図である。図２（ａ）は携帯電話端末１００の外観を示す斜視図である。携帯電話端末１００は、タッチセンサ部２１０（概観上、センサ部１３０すなわちセンサ素子Ｇ１，Ｇ２，・・・を覆う。）、カメラ２２０、及びライト２３０を具える。携帯電話端末１００は、図２に示すような閉状態の他に、ヒンジ部を回動・スライドさせて開状態を形成することができ、タッチセンサ部２１０は、閉状態においても操作可能な位置に設けられている。図２（ｂ）は、本実施例によるタッチセンサの動作の説明のために、センサ素子とサブ表示部ＥＬＤ周辺のみの配置を表示した本実施例の携帯電話端末１００の斜視図である。図のように、センサ素子Ｒ１〜Ｒ４及びＬ１〜Ｌ４が、サブ表示部ＥＬＤの周囲に沿って並べて配置されている。センサ素子Ｒ１〜Ｒ４、Ｌ１〜Ｌ４は、それぞれ第１のセンサ素子群、第２のセンサ素子群を構成している。第１のセンサ素子群と第２のセンサ素子群は、離間部ＳＰ１、ＳＰ２を隔てて並べられている。本実施例ではサブ表示部ＥＬＤに有機ＥＬディスプレイを用いてあるが、例えば液晶表示ディスプレイ等を用いることもできる。
【００１９】
図２の携帯電話端末１００において、サブ表示部ＥＬＤは携帯電話端末１００の用途に応じた情報を表示する。例えば、携帯電話端末１００を音楽プレーヤーとして用いる場合、サブ表示部ＥＬＤには演奏できる曲目が表示される。曲名及びアーティスト名の組で１つの項目、即ち、「選択候補項目」となる。ユーザは、操作入力部としてタッチセンサ部２１０を操作してセンサ素子Ｒ１〜Ｒ４，Ｌ１〜Ｌ４の静電容量を変化させて、サブ表示部ＥＬＤに表示された項目や操作対象領域を移動し、曲目の選択を行う。このとき、図２のようにサブ表示部ＥＬＤの周囲にセンサ素子を並べる構成とすれば、小型な携帯電子機器の外部筐体における実装部分を大きく占有せずに済み、かつ、ユーザはサブ表示部ＥＬＤの表示を見ながらセンサ素子を操作することができる。
【００２０】
図３は、本実施例の携帯電話端末１００に実装した表示部周囲の構成を示す分解斜視図である。わかり易くするため、各部材を、構成する順に分離して示している。図に示すように、有機ＥＬ素子からなる表示部ＥＬＤの周囲に沿ってドーナツ状のパネルＰＮＬが配されている。パネルＰＮＬは、下部に設けるセンサ素子の感度に影響を与えないように十分に薄くすることが好適である。パネルＰＮＬの下部には、人体の指の接触を検知できる静電容量型の８個のセンサ素子Ｌ１−Ｌ４、Ｒ１−Ｒ４をほぼ環状に配置してある。左側の４つのセンサ素子Ｌ１−Ｌ４で第１のセンサ素子群、右側の４つのセンサ素子Ｒ１−Ｒ４で第２のセンサ素子群をそれぞれ構成している。各センサ素子群内の隣接するセンサ素子の間には、隣接するセンサ素子同士で接触検出機能に干渉しないように、クリアランス（隙間）を設けて配置してある。なお、干渉しないタイプのセンサ素子を用いる場合にはこのクリアランスは不要である。第１のセンサ素子群の一端に位置するセンサ素子Ｌ４と、第２のセンサ素子群の一端に位置するセンサ素子Ｒ１との間には、前記クリアランスより大きいクリアランス（例えば、２倍以上の長さ）である離間部ＳＰ１を設ける。第１のセンサ素子群の他端に位置するセンサ素子Ｌ１と、第２のセンサ素子群の他端に位置するセンサ素子Ｒ４との間にも、離間部ＳＰ１と同様に離間部ＳＰ２を設ける。このような離間部ＳＰ１、ＳＰ２によって、第１のセンサ素子群と第２のセンサ素子群とが別個に機能させる際に、互いに干渉するのを防止することができる。
【００２１】
タクトスイッチＳＷ１及びＳＷ２が、センサ素子の下部であって、センサＬ２とＬ３との間のクリアランス、及びＲ２とＲ３との間のクリアランスにそれぞれこのタクトスイッチの中心が位置するように配置されている。このタクトスイッチを押下げることによって、表示部に表示された項目の選択が実行される。選択が実行されると、例えば、サブ表示部ＥＬＤ又はセンサ素子の後ろ側に設置されたバックライト（図示せず）が点灯し、ユーザに選択が実行されたこと、すなわちタクトスイッチが押下げられたことを示す。さらに、音声通話又はメールの着信等のユーザに通知すべき事象が発生した場合にも、このサブ表示部ＥＬＤの点灯表示がなされる。
【００２２】
図４は、上述した本実施例の詳細な機能ブロック図である。図に示すように、図４に示す各種ソフトウェアは、記憶部１４０に記憶されるプログラムに基づき、記憶部１４０上にワークエリアを設けた上で、制御部１１０が実行することにより動作する。携帯電話端末の諸機能は、ソフトウェアブロックとハードウェアブロックとに分かれる。ソフトウェアブロックは、フラグ記憶部ＦＬＧを持つベースアプリＢＡ、サブ表示部表示アプリＡＰ１、ロックセキュリティアプリＡＰ２、その他アプリＡＰ３、及びラジオアプリＡＰ４から構成される。ソフトウェアブロックは、さらに、赤外線通信アプリＡＰＩＲ及びＲＦＩＤアプリＡＰＲＦも含む。これらの各種アプリ（アプリケーションソフトウェア）がハードウェアブロックの各種ハードウェアを制御するときに、赤外線通信ドライバＩＲＤ、ＲＦＩＤドライバＲＦＤ、オーディオドライバＡＵＤ、ラジオドライバＲＤ、及びプロトコルＰＲをドライバとして使用する。例えば、オーディオドライバＡＵＤ、ラジオドライバＲＤ、及びプロトコルＰＲは、それぞれ、マイクロホンＭＩＣ１、スピーカＳＰ、通信部ＣＯＭ、及びラジオモジュールＲＭを制御する。ソフトウェアブロックは、さらに、ハードウェアの操作状態を監視・検出するキースキャンポートドライバＫＳＰも含み、タッチセンサドライバ関連検出、キー検出、折り畳み式やスライド式などの携帯電話端末の開閉を検出する開閉検出、イヤホン着脱検出などを行う。
【００２３】
ハードウェアブロックは、ダイヤルキーを含む各種ボタンなどを含むキー操作部ＫＥＹ、ヒンジ部の動作状況などに基づき開閉を検出する開閉検出デバイスＯＣＤ、機器本体付属のマイクロホンＭＩＣ、イヤホンＥＡＰ、スピーカＳＰ、通信部ＣＯＭ、ラジオモジュールＲＭ、シリアルインターフェース部ＳＩ、及び切替制御部ＳＷＣＯＮを具える。切替制御部ＳＷＣＯＮは、ソフトウェアブロックの該当ブロックからの指示に従って、赤外線通信部ＩＲ、ＲＦＩＤモジュール（無線識別タグ）ＲＦＩＤ、タッチセンサモジュールＴＳＭ（センサ部１２０と、発振回路などのセンサ部１２０を駆動する上で必要な部品一式をモジュール化したもの）のうちのいずれか１つを選択して当該信号をシリアルインターフェース部ＳＩが拾い上げるように選択対象ハードウェア（ＩＲ、ＲＦＩＤ、ＴＳＭ）を切り替える。電源ＰＳは、電源コントローラＰＳＣＯＮを介して選択対象ハードウェア（ＩＲ、ＲＦＩＤ、ＴＳＭ）に電力を供給する。なお、小型で筐体外面の実装面積が狭い携帯電話端末１００においては、キー操作部ＫＥＹがタッチセンサモジュールＴＳＭに隣接するのが好ましい。
【００２４】
図５は、本実施例の携帯電話端末１００のタッチセンサ機能のより詳細な構成を示すブロック図である。図に示した携帯電話端末１００は、タッチセンサベースドライバブロックＴＤＢ、タッチセンサベースアプリブロックＴＳＢＡ、デバイス層ＤＬ、割込ハンドラＩＨ、キューＱＵＥ、ＯＳタイマーＣＬＫ、各種アプリＡＰ１〜ＡＰ３を具える。ここでタッチセンサベースアプリブロックＴＳＢＡは、ベースアプリＢＡ及びタッチセンサドライバ上位アプリケーションプログラムインターフェースＡＰＩを具え、タッチセンサドライバブロックＴＤＢは、タッチセンサドライバＴＳＤ及び結果通知部ＮＴＦを具える。また、デバイス層ＤＬは、切替制御部ＳＷＣＯＮ、切替部ＳＷ、シリアルインターフェース部ＳＩ、赤外線通信部ＩＲ、ＲＦＩＤ及びタッチセンサモジュールＴＳＭを具え、割込ハンドラＩＨは、シリアル割込み監視部ＳＩＭＯＮ及び確認部ＣＮＦを具える。
【００２５】
次に、各ブロックの機能を図を参照に説明する。タッチセンサベースアプリブロックＴＳＢＡにおいて、ベースアプリＢＡと、タッチセンサドライバ上位アプリケーションプログラムインターフェースＡＰＩとの間では、タッチセンサを起動するか否かのやり取りが行なわれる。ベースアプリＢＡは、サブ表示部用のアプリケーションであるサブ表示部表示アプリＡＰ１、セキュリティ保護用に携帯電話端末１００にロックをかけるアプリケーションであるロックセキュリティアプリＡＰ２、その他のアプリケーションＡＰ３のベースとなるアプリケーションであり、ベースアプリＢＡに前記各アプリからタッチセンサの起動が要求された場合に、タッチセンサドライバ上位のアプリケーションプログラムインターフェースＡＰＩにタッチセンサの起動を要求する。なおサブ表示部とは、各図で示すサブ表示部ＥＬＤであって、本実施例における携帯電話端末１００においてセンサ素子により囲まれた表示部のことを指す。
【００２６】
起動の要求を受け、タッチセンサ上位アプリケーションプログラムインターフェースＡＰＩは、ベースアプリＢＡ内のアプリケーションの起動を管理するブロック（図示せず）に、タッチセンサの起動が可能か否かの確認を行う。すなわち、キー操作部ＫＥＹによる入力処理、アプリケーションの選択が実行されていることを示すサブ表示部ＥＬＤの点灯、サブ表示部ＥＬＤの消灯、又はＦＭラジオその他の携帯電話端末に付属するアプリケーション等の、予めタッチセンサの起動が不可能と設定されたアプリケーションの起動を示すフラグの有無を確認する。その結果、タッチセンサの起動が可能と判断された場合、タッチセンサ上位アプリケーションプログラムインターフェースＡＰＩはタッチセンサドライバＴＳＤにタッチセンサモジュールの起動を要求する。すなわち、実質的には電源コントローラＰＳＣＯＭを通じた電源ＰＳからタッチセンサモジュールＴＳＭへの電源供給を開始する。それに対して、タッチセンサの起動が不可能と判断された場合、タッチセンサ上位アプリケーションプログラムインターフェースＡＰＩはタッチセンサドライバＴＳＤにタッチセンサモジュールの起動を要求せず、タッチセンサモジュールＴＳＭによる検知、すなわち、後に説明するタッチセンサのセンシング結果を無効にする。これによって、タッチセンサの誤作動が生じることがなくなり、タッチセンサのセンシング結果が有効になった後の出力データを次の接触の移動方向の起点として設定するので、それ以降のデータを全て正常に処理することができる。
【００２７】
起動が要求されると、タッチセンサドライバＴＳＤはデバイス層ＤＬ内のシリアルインターフェース部ＳＩに要求して、シリアルインターフェース部ＳＩにおけるタッチセンサドライバＴＳＤとのポートを開くように制御する。
【００２８】
その後、タッチセンサドライバＴＳＤは、タッチセンサのセンシング結果の情報を有する信号（以降、接触信号と記す）を、タッチセンサモジュールＴＳＭが有する内部クロックによる２０ｍｓの周期で、シリアルインターフェース部ＳＩに出力されるように制御する。
【００２９】
前記接触信号は、既に説明した各センサ素子Ｒ１〜Ｒ４及びＬ１〜Ｌ４の８つのセンサ素子それぞれに対応した８ビット信号で出力されている。すなわち、各センサ素子が接触を検知すると、この接触を検知したセンサ素子に対応するビットに、接触検知を表す「フラグ：１」が立っている信号であって、これらビット列により接触信号が形成される。すなわち、接触信号には、「どのセンサ素子」が「接触／非接触のいずれか」を示す情報が含まれる。
【００３０】
割込ハンドラＩＨにおけるシリアル割込み監視部ＳＩＭＯＮは、シリアルインターフェース部ＳＩに出力された接触信号を取り出す。ここで確認部ＣＮＦが、シリアルインターフェース部ＳＩにおいて予め設定された条件に従い、取り出した接触信号のＴｒｕｅ／Ｆａｌｓｅの確認を行い、Ｔｒｕｅ（真）な信号のデータのみをキューＱＵＥに入れる（信号のＴｒｕｅ／Ｆａｌｓｅの種別については後に説明する。）。また、シリアル割込み監視部ＳＩＭＯＮは、タクトスイッチの押下の発生などのタッチセンサ起動中のシリアルインターフェース部ＳＩの他の割込み事象の監視も行う。
【００３１】
なお、監視部ＳＩＭＯＮは、検出した接触が最初の接触であった場合には「プレス」を意味する信号を接触信号の前にキューＱＵＥに入れる（キューイングする）。その後、オペレーションシステムの有するＯＳタイマーＣＬＫによるクロック４５ｍｓ周期で接触信号の更新を行い、所定回数接触を検出しなかった場合には「リリース」を意味する信号をキューＱＵＥに入れる。このことにより、接触開始からリリースまでのセンサ素子間での接触検出の移動を監視することができるようになる。なお、「最初の接触」とは、キューＱＵＥにデータのない状態、又は、直近の入力データが「リリース」である場合に「フラグ：１」を有する信号が発生する事象を指す。これらの処理により、タッチセンサドライバＴＳＤは、「プレス」から「リリース」の区間のセンサ素子の検出状態を知ることができる。
【００３２】
同時に、監視部ＳＩＭＯＮは、タッチセンサから出力される接触信号がＦａｌｓｅとなる条件を満たす信号であった場合に、「リリース」を意味する信号を擬似的に生成してキューＱＵＥに入れる。ここでＦａｌｓｅ（偽）となる条件としては、「タッチセンサ起動中にキー押下が発生した場合」、「非連続な２つのセンサ素子で接触を検出した場合」、「タッチセンサ起動中に割込みが生じた場合（例えば、メール着信等の通知でサブ表示部ＥＬＤの点灯／消灯状態が変更された場合）」、又は「複数のセンサ素子をまたぐ接触を検出した場合」などが設定される。これによって、タッチセンサの誤作動が生じることがなくなり、タッチセンサのセンシング結果が有効になった後の出力データを次の接触の移動方向の起点として設定するので、それ以降のデータを全て正常に処理することができる。なお、本実施例の携帯電話端末では、サブ表示部ＥＬＤが消灯の場合はリリースを意味する信号をキューＱＵＥに積んではいない。この場合はタッチセンサの電源ＯＦＦとしている。また、本実施例の携帯電話端末では、三つのタッチセンサのセンサ素子の同時接触については有効としている。さらに、本実施例の携帯電話端末では、後述するように、キー押下中においては、シリアルインターフェース部ＳＩから出力されたタッチセンサモジュールＴＳＭの出力を、リリースを意味する信号に修正する。すなわち、例えば、タッチセンサによる検知中にキーが押下された場合にシリアルインターフェース部ＳＩから出力されたタッチセンサモジュールＴＳＭの出力を、リリースを意味する信号に修正したり、キー押下中にタッチセンサによる検知がなされた場合に、シリアルインターフェース部ＳＩから出力されたタッチセンサモジュールＴＳＭの出力を、リリースを意味する信号に修正する。
【００３３】
すなわち、監視部ＳＩＭＯＮは、例えば、タッチセンサ起動中にキー押下が発生した場合には、リリースを意味する信号をキューＱＵＥに入れる。
【００３４】
タッチセンサドライバＴＳＤは、４５ｍｓ周期でキューＱＵＥから接触信号を読み出し、読み出した接触信号によって、接触を検知した素子を判定する。タッチセンサドライバＴＳＤは、キューＱＵＥから順次に読み出した接触信号により判定した接触の変化、及び、検知した素子との位置関係を考慮して、「接触スタートの素子」、「接触の移動方向（右／左回り）の検出」、及び「プレスからリリースまでに移動した素子の数（すなわち移動距離）」の判定を行う。タッチセンサドライバＴＳＤは、判定された結果を結果通知部ＮＴＦに書き込むとともに、ベースアプリＢＡに結果を更新するように通知する。
【００３５】
接触の移動方向及び移動距離の判定は、隣接するセンサ素子の検出及び各センサ素子の検出の組合せによって行うが、これには種々の手法（判定ルール）を適用することができる。例えば、ある１つのセンサ素子（例えばＲ２）から隣接するセンサ素子（この例の場合、Ｒ２及びＲ３）へと接触が遷移すると、その方向に、１素子分（サブ表示部における１項目分）の移動とすると判定する。
【００３６】
既に説明したように、結果の更新がタッチセンサドライバＴＳＤによってベースアプリＢＡに通知されると、ベースアプリＢＡは結果通知部ＮＴＦを確認し、この結果通知部ＮＴＦに通知された情報の内容を、さらに上位のアプリケーションであってタッチセンサ結果を要するアプリケーション（サブ表示部におけるメニュー画面表示のための表示部表示アプリＡＰ１、及びロック制御のためのロックセキュリティアプリＡＰ２など）に通知する。
【００３７】
図６は、本実施例の動作シーケンス図であり、図７は、タッチセンサドライバの出力データのキューイング処理のフローチャートである。図６に示すように、タッチセンサモジュールＴＳＭが接触状態を検出したタイミングで、タッチセンサモジュールＴＳＭは、シリアル割込み監視部ＳＩＭＯＮに出力データを通知する。
【００３８】
確認部ＣＮＦは、図７に示す処理によりキー状態を参照し、キーリリースの場合にはタッチセンサモジュールＴＳＭからの出力データをそのままキューイングし、キー押下中の場合にはシリアルインターフェース部ＳＩからの出力データをリリースに修正してからキューイングする。
【００３９】
タッチセンサドライバＴＳＤの処理部（図示せず）は、キューＱＵＥをポーリングし、出力データが存在する場合にはキューＱＵＥから出力データを取り出す。タッチセンサドライバＴＳＤからの出力データをキューＱＵＥから取り出したタッチセンサドライバＴＳＤの処理部は、キューＱＵＥから取り出した出力データを解析し、タッチセンサドライバ上位ＡＰＩに通知する情報に変換する。制御部１１０は、キー操作部ＫＥＹが操作される以前のセンサ部１２０の検査結果に基づく処理を行う。
【００４０】
本発明は、上記実施例に限定されるものではなく、幾多の変更及び変形が可能である。例えば、実施例においては、タッチセンサとして静電容量式のものを用いて説明したが、この方式に限定されるものではない。例えば、複数の薄膜電極同士の当接の検出による電流の変動計測などで接触を検出する薄膜抵抗方式などのタッチセンサも存在するが、このような方式のタッチセンサを用いても本発明は実現可能である。また、例えば、実施例では、円環状に設けたセンサ素子レイアウトで説明したが、センサ群が三つ以上の場合、各センサ素子群が一列に並べられた場合、センサ群の間にスイッチを設けた場合、コ字状に配置されるセンサ素子群を表示部を挟んで対向配置させた場合等にも本発明を適用することができる。また、センサ素子群は左右の配置の実施例で説明したが、上下２群で構成してもよい。さらに、実施例では、携帯電話端末を挙げて説明してあるが、電話以外の携帯無線端末、ＰＤＡ（パーソナルデジタルアシスタンス）、携帯ゲーム機、携帯オーディオプレイヤー、携帯ビデオプレイヤー、携帯電子辞書、携帯電子書籍ビューワーなどの携帯電子機器に幅広く本発明を適用することが可能である。
【図面の簡単な説明】
【００４１】
【図１】本実施例の携帯電話端末の概要を示すブロック図である。
【図２】本実施例の携帯電話端末の斜視図である。
【図３】本実施例の携帯電話端末に実装した表示部周囲の構成を示す分解斜視図である。
【図４】本実施例の詳細な機能ブロック図である。
【図５】本実施例の携帯電話端末のタッチセンサ機能のより詳細な構成を示すブロック図である。
【図６】本実施例の動作シーケンス図である。
【図７】タッチセンサドライバの出力データのキューイング処理のフローチャートである。
【符号の説明】
【００４２】
１００  携帯電話端末
１１０  制御部
１２０  センサ部
１２２，１２３，１２４，１２５，１２６  センサ素子群
１３０  表示部
１４０  記憶部
１４２  保存領域
１４４  外部データ保存領域
１５０  情報処理機能部
１６０  電話機能部
１７０  入力部キーパネル
１８０  拡声装置
２１０  タッチセンサ
２２０  カメラ
２３０  ライト
ＡＰ１，ＡＰ２，ＡＰ３，ＡＰ４  アプリケーション
ＡＰＲＦ  ＲＦＩＤアプリ
ＡＰＩ  アプリケーションプログラムインターフェース
ＡＰＩＲ  赤外線通信アプリ
ＡＵＤ  オーディオドライバ
ＢＡ  ベースアプリ
ＣＬＫ  ＯＳタイマー
ＣＮＦ  確認部
ＣＯＭ  通信部
ＤＬ  デバイス層
ＥＡＰ  イヤホン
ＥＬＤ  サブ表示部
ＦＬＧ  フラグ記憶部
Ｇ１，Ｇ２，Ｇ３  センサ素子群
ＩＨ  割込ハンドラ
ＩＲ  赤外線通信部
ＩＲＤ  赤外線通信ドライバ
ＫＥＹ  キー操作部
ＫＳＰ  キースキャンポートドライバ
Ｌ１，Ｌ２，Ｌ３，Ｌ４，Ｒ１，Ｒ２，Ｒ３，Ｒ４  センサ素子
ＭＩＣ  マイクロホン
ＯＣＤ  開閉検出デバイス（磁気）
ＰＮＬ  パネル
ＰＲ  プロトコル
ＰＳ  電源
ＰＳＣＯＮ  電源コントローラ
ＱＵＥ  キュー
ＲＤ  ラジオドライバ
ＲＦＤ  ＲＦＩＤドライバ
ＲＦＩＤ  ＲＦＩＤモジュール
ＲＭ  ラジオモジュール
ＳＩ  シリアルインターフェース部
ＳＩＭＯＮ  シリアル割込み監視部
ＳＰ  スピーカ
ＳＰ１、ＳＰ２  離間部
ＳＷ  切替部
ＳＷ１，ＳＷ２，ＳＷ３，ＳＷ４  タクトスイッチ
ＳＷＣＯＮ  切替制御部
ＴＳＢ  タッチセンサドライバブロック
ＴＳＭ  タッチセンサモジュール
ＴＳＢＡ  タッチセンサベースアプリブロック
【図１】
2008052586.tif 000003
【図２】
2008052586.tif 000004
【図３】
2008052586.tif 000005
【図４】
2008052586.tif 000006
【図５】
2008052586.tif 000007
【図６】
2008052586.tif 000008
【図７】
2008052586.tif 000009